(57)【要約】【課題】通話中に視聴したコンテンツを再度視聴するときに、コンテンツのさまざまな選択方法、視聴方法を可能にする。【解決手段】テレビ電話などの通話手段１１とコンテンツを選択するコンテンツ選択手段１５、コンテンツを再生するコンテンツ再生手段１７、コンテンツを視聴するコンテンツ視聴手段１８を備える情報処理装置において、通話中に視聴したコンテンツに対して、通話呼に関連する情報を対応付けて記憶する通話呼関連情報対応付け記憶手段１３を備える。そして、通話後にコンテンツを再度視聴するときに、記憶されている通話呼関連情報を用いて、コンテンツ選択手段１５によって、さまざまなコンテンツの選択方法、再生方法をユーザに提示することで、効率的な、コンテンツの選択、コンテンツの視聴を実現する。【選択図】図２
2007089025.tif 000002
【特許請求の範囲】
【請求項１】
呼を用いて通話する通話手段と、
コンテンツを視聴するコンテンツ視聴手段と、
通話時に視聴したコンテンツと通話呼に関連する情報とを対応付けて記憶する通話呼関連情報対応付け記憶手段と、
前記通話呼関連情報対応付け記憶手段に記憶した通話呼に関連する情報と対応付けて記憶されたコンテンツを視聴する際に、該コンテンツに対応付けられた通話呼に関連する情報を出力する通話呼関連情報出力手段とを備えたことを特徴とする情報処理装置。
【請求項２】
前記通話呼に関連する情報は、通話相手に関する情報であることを特徴とする請求項１に記載の情報処理装置。
【請求項３】
前記通話呼に関連する情報は、通話時の時刻に関する情報であることを特徴とする請求項１に記載の情報処理装置。
【請求項４】
前記通話呼に関連する情報は、通話内容に関する情報であることを特徴とする請求項１に記載の情報処理装置。
【請求項５】
呼を用いて通話する通話手段と、
コンテンツを視聴するコンテンツ視聴手段と、
通話時に視聴したコンテンツと通話時に視聴したコンテンツに対して行なわれた操作の内容を記述した操作情報とを対応付けて記憶する操作情報対応付け記憶手段と、
前記操作情報対応付け記憶手段に記憶した操作情報と対応付けて記憶されたコンテンツを視聴する際に、該コンテンツに対応付けられた操作情報に応じてコンテンツを再生するコンテンツ再生手段とを備えたことを特徴とする情報処理装置。
【請求項６】
前記コンテンツに対して行なわれた操作の内容を記述した操作情報は、通話時にコンテンツに対して行なわれた操作履歴を含み、
前記操作情報対応付け記憶手段に記憶した前記操作情報と対応付けて記憶されたコンテンツを視聴する際に、前記操作履歴に基づく操作を適用してコンテンツを再生することを特徴とする請求項５に記載の情報処理装置。
【請求項７】
前記コンテンツに対して通話中に行なわれた操作の内容を記述した操作情報は、当該情報処理装置の利用者が入力した操作を含み、
前記操作をコンテンツに対して適用するとともに、前記操作情報を通話相手に通知することを特徴とする請求項５または６に記載の情報処理装置。
【請求項８】
前記コンテンツに対して通話中に行なわれた操作の内容を記述した操作情報は、通話相手から通知された操作情報を含むことを特徴とする請求項５または６に記載の情報処理装置。
【請求項９】
呼を用いて通話する通話手段と、
コンテンツを視聴するコンテンツ視聴手段と、
通話時に視聴したコンテンツと通話呼に関連する情報とを対応付けて記憶する対応付け記憶手段と、
前記通話呼に関連する情報に応じて、前記通話呼に関連する情報に対応するコンテンツを抽出する抽出手段とを備えたことを特徴とする情報処理装置。
【請求項１０】
呼を用いて通話する通話手段と、
コンテンツを視聴するコンテンツ視聴手段と、
通話時に視聴したコンテンツと通話呼に関連する情報とを対応付けて記憶する対応付け記憶手段と、
前記コンテンツに応じて、前記コンテンツに対応付けられた前記通話呼に関連する情報を抽出する抽出手段とを備えたことを特徴とする情報処理装置。
【請求項１１】
前記通話呼に関連する情報に応じて、前記抽出手段により抽出されたコンテンツを選択する選択手段と、
前記選択手段により選択されたコンテンツを再生する再生手段とを備えたことを特徴とする請求項９に記載の情報処理装置。
【請求項１２】
前記通話呼に関連する情報は、通話相手に関する情報であることを特徴とする請求項９乃至１１のいずれかに記載の情報処理装置。
【請求項１３】
前記通話呼に関連する情報は、通話時の時刻に関する情報であることを特徴とする請求項９乃至１１のいずれかに記載の情報処理装置。
【請求項１４】
前記通話呼に関連する情報は、通話内容に関する情報であることを特徴とする請求項９乃至１１のいずれかに記載の情報処理装置。
【請求項１５】
呼を用いて通話する通話ステップと、
コンテンツを視聴するコンテンツ視聴ステップと、
通話時に視聴したコンテンツと通話呼に関連する情報とを対応付けて記憶する通話呼関連情報対応付け記憶ステップと、
前記通話呼関連情報対応付け記憶ステップにて記憶した通話呼に関連する情報と対応付けて記憶されたコンテンツを視聴する際に、該コンテンツに対応付けられた通話呼に関連する情報を出力する通話呼関連情報出力ステップとを備えたことを特徴とする情報処理方法。
【請求項１６】
呼を用いて通話する通話ステップと、
コンテンツを視聴するコンテンツ視聴ステップと、
通話時に視聴したコンテンツと通話時に視聴したコンテンツに対して行なわれた操作の内容を記述した操作情報とを対応付けて記憶する操作情報対応付け記憶ステップと、
前記操作情報対応付け記憶ステップにて記憶した操作情報と対応付けて記憶されたコンテンツを視聴する際に、該コンテンツに対応付けられた操作情報に応じてコンテンツを再生するコンテンツ再生ステップとを備えたことを特徴とする情報処理方法。
【請求項１７】
呼を用いて通話する通話ステップと、
コンテンツを視聴するコンテンツ視聴ステップと、
通話時に視聴したコンテンツと通話呼に関連する情報とを対応付けて記憶する対応付け記憶ステップと、
前記通話呼に関連する情報に応じて、前記通話呼に関連する情報に対応するコンテンツを抽出する抽出ステップとを備えたことを特徴とする情報処理方法。
【請求項１８】
呼を用いて通話する通話ステップと、
コンテンツを視聴するコンテンツ視聴ステップと、
通話時に視聴したコンテンツと通話呼に関連する情報とを対応付けて記憶する対応付け記憶ステップと、
前記コンテンツに応じて、前記コンテンツに対応付けられた前記通話呼に関連する情報を抽出する抽出ステップとを備えたことを特徴とする情報処理方法。
【請求項１９】
前記通話呼に関連する情報に応じて、前記抽出ステップにより抽出されたコンテンツを選択する選択ステップと、
前記選択ステップにより選択されたコンテンツを再生する再生ステップとを備えたことを特徴とする請求項１７に記載の情報処理方法。
【請求項２０】
請求項１５乃至１９のいずれかに記載の情報処理方法をコンピュータで実行するためのプログラム。
【発明の詳細な説明】
【技術分野】
【０００１】
本発明は、通話を継続しながらコンテンツを視聴することができる情報処理装置、情報処理方法、および、プログラムに関する。
【背景技術】
【０００２】
近年の情報処理装置の性能の向上および通信技術の発展により、大容量通信を活かした、さまざまな形態のコミュニケーションや、サービスが可能となっている。
【０００３】
特許文献１に記載の発明によると、コミュニケーションを行いながら、画像や音楽等のコンテンツを楽しむことができる。前記発明では、コンテンツ共有サーバーを介して複数人が同じコンテンツを視聴しながらコミュニケーションを行うことができる。
【０００４】
また、情報処理装置の性能の向上により、コンテンツの視聴や保存に関する技術も発展している。
特許文献２に記載の発明によると、コンテンツ（動画像）と共に、コンテンツ作成者の意図する再生や早送り再生などの特殊再生制御情報を記録することにより、コンテンツ製作者が意図した再生制御が可能となる。
【０００５】
特許文献３に記載の発明によると、視聴者が動画像（コンテンツ）に対して行った操作内容を記録した操作履歴を保存することにより、再視聴時の操作性を向上することができる。
【０００６】
特許文献４に記載の発明によると、動画像（コンテンツ）に対して、閲覧日付情報と、シーン切替情報を関連付けて記憶し、利用者ごとにこれまでの閲覧状況の要約を作成することにより、予め視聴する動画像の内容を確認することができる。
【特許文献１】特開２００３−２２３４０７号公報
【特許文献２】特開２００３−３３３５２９号公報
【特許文献３】特開２００４−２１４７０８号公報
【特許文献４】特開２００４−２３１９７号公報
【発明の開示】
【発明が解決しようとする課題】
【０００７】
上記従来技術では、通話中にコンテンツを視聴し、該コンテンツを再度視聴する場合に、いくつかの問題点が生じる。
【０００８】
たとえば、通話中に視聴したコンテンツを保存した場合、該コンテンツを誰とみたかが分からなくなってしまう。
たとえ、誰と通話しているときに視聴したかが分かったとしても、該コンテンツに関するエピソードを忘れてしまったり、該コンテンツを何処まで視聴したか分からなくなってしまったり、該コンテンツを視聴しながら何をしゃべったかを思い出したりすることが困難である。
また、通話中に視聴したコンテンツをもう一度視聴したいときに、どうやって該コンテンツを見つけるのかが困難である。
【０００９】
本発明は、上記課題に基づいて創案されたもので、通話中に視聴したコンテンツと、その通話呼関連情報とを対応付けて記憶することによって、再度コンテンツを視聴する場合にさまざまな選択方法、視聴方法を視聴者に提示することを可能とする情報処理装置を提供することを目的とする。
【課題を解決するための手段】
【００１０】
第１の技術手段は、呼を用いて通話する通話手段と、コンテンツを視聴するコンテンツ視聴手段と、通話時に視聴したコンテンツと通話呼に関連する情報とを対応付けて記憶する通話呼関連情報対応付け記憶手段と、前記通話呼関連情報対応付け記憶手段に記憶した通話呼に関連する情報と対応付けて記憶されたコンテンツを視聴する際に、該コンテンツに対応付けられた通話呼に関連する情報を出力する通話呼関連情報出力手段とを備えた情報処理装置であることを特徴とする。
【００１１】
ここで、呼を用いて通話するとは、通話相手とセッションをはり、通話を行うことである。通話が終了する時は、セッションを切断し終了する。ここで、通話呼とは、呼を用いて行われた１回の通話をさす。本発明では、このように、通話中にコンテンツを視聴する場合に適用される。
【００１２】
なお、本明細書において、コンテンツとは動画、静止画などの画像、音楽、音声などのサウンド、テキストやこれらを組み合わせた複合文書、Ｗｅｂページ、ゲーム等を含む。本明細書において、コンテンツを視聴するとは、これらのコンテンツをコンテンツごとに適した方法で再生し、ユーザがそれ（コンテンツの再生）を体験することを指し、ゲームなどコンテンツによってはユーザとのインタラクションが発生する場合もある。
これによって、通話中に視聴したコンテンツを再度視聴するときに、そのコンテンツに関連する通話呼の情報を出力することができる。
【００１３】
第２の技術手段は、第１の技術手段に記載の情報処理装置であって、前記通話呼に関連する情報は、通話相手に関する情報であることを特徴とする。
これによって、通話中に視聴したコンテンツを再度視聴するときに、誰との通話中に視聴したコンテンツであるかを知ることができる。
【００１４】
第３の技術手段は、第１の技術手段に記載の情報処理装置であって、前記通話呼に関連する情報は、通話時の時刻に関する情報であることを特徴とする。
ここで通話時の時刻とは、通話呼に関連する日付、時間の情報であって、通話を開始した時刻、通話を終了した時刻、あるいは通話中にコンテンツを視聴し始めた時刻、コンテンツの視聴を終了した時刻などである。
これによって、通話中に視聴したコンテンツを再度視聴するとき、いつの通話中に視聴したコンテンツか知ることができる。
【００１５】
第４の技術手段は、第１の技術手段に記載の情報処理装置であって、前記通話呼に関連する情報は、通話内容に関する情報であることを特徴とする。
ここで、通話内容とは、通話呼で行われた会話の音声あるいは、会話の映像と音声であり、通話中のすべての会話、コンテンツ視聴中の会話、あるいは、コンテンツの視聴を行う前後に行われた会話などである。
これによって、通話中に視聴したコンテンツを再度視聴するときに、該コンテンツを視聴したときに行われた会話の内容を知ることができる。
【００１６】
第５の技術手段は、呼を用いて通話する通話手段と、コンテンツを視聴するコンテンツ視聴手段と、通話時に視聴したコンテンツと通話時に視聴したコンテンツに対して行なわれた操作とを対応付けて記憶する操作情報対応付け記憶手段と、前記操作情報対応付け記憶手段に記憶した操作情報と対応付けて記憶されたコンテンツを視聴する際に、該コンテンツに対応付けられた操作情報に応じてコンテンツを再生するコンテンツ再生手段を備えた情報処理装置であることを特徴とする。
これによって、通話中に視聴したコンテンツを再度視聴するときに、通話時に行われた操作を再現することができる。
ここで、操作とは、コンテンツを視聴中に行われる操作を指す。
【００１７】
第６の技術手段は、第５の技術手段に記載の情報処理装置であって、前記コンテンツに対して行なわれた操作の内容を記述した操作情報は、通話時にコンテンツに対して行なわれた操作履歴を含み、前記操作情報対応付け記憶手段に記憶した前記操作情報と対応付けて記憶されたコンテンツを視聴する際に、前記操作履歴に基づく操作を適用してコンテンツを再生することを特徴とする。
ここで、操作履歴とは、コンテンツを視聴中に行われた操作を、コンテンツの再生位置とあわせて時系列に沿って記録したものである。
これによって、通話中に視聴したコンテンツを再度視聴するときに、通話時にコンテンツに対して行われた操作を行われた順番どおりに再現することができる。
また、通話履歴に基づき、通話中に視聴した部分だけを再生するといった特殊な再生もできるようになる。
【００１８】
第７の技術手段は、第５または第６の技術手段に記載の情報処理装置であって、前記コンテンツに対して通話中に行なわれた操作の内容を記述した操作情報は、当該情報処理装置の利用者が入力した操作を含み、前記操作をコンテンツに対して適用するとともに、前記操作情報を通話相手に通知することを特徴とする。
これにより、通話中に通話相手と同じコンテンツを視聴する際に、コンテンツに対して行った操作を通話相手に伝えることができ、こちらが視聴しているのと同じように通話相手にコンテンツを視聴させることができる。
【００１９】
第８の技術手段は、第５または第６の技術手段に記載の情報処理装置であって、前記コンテンツに対して通話中に行なわれた操作の内容を記述した操作情報は、通話相手から通知された操作を含むことを特徴とする。
これにより、通話中にコンテンツを視聴する際に、相手がコンテンツに行った操作を反映させた再生を行うことができ、通話相手が視聴しているのと同じようにコンテンツを視聴することができる。
また、コンテンツを再度視聴する際に、相手から通知（送信）された操作履歴に基づき、相手が視聴させてくれた通りにコンテンツを再生することができる。
【００２０】
第９の技術手段は、呼を用いて通話する通話手段と、コンテンツを視聴するコンテンツ視聴手段と、通話時に視聴したコンテンツと通話呼に関連する情報とを対応付けて記憶する通話呼関連情報対応付け記憶手段と、前記通話呼に関連する情報に応じて、前記通話呼に関連する情報に対応するコンテンツを抽出する抽出手段を備えたことを特徴とする情報処理装置である。
これにより、再生するコンテンツを選択する際に、通話呼の情報をもとにコンテンツを選択することが可能となる。
【００２１】
第１０の技術手段は、呼を用いて通話する通話手段と、コンテンツを視聴するコンテンツ視聴手段と、通話時に視聴したコンテンツと通話呼に関連する情報とを対応付けて記憶する対応付け記憶手段と、前記コンテンツに応じて、前記コンテンツに対応付けられた前記通話呼に関連する情報を抽出する抽出手段を備えたことを特徴とする情報処理装置である。
これにより、コンテンツを視聴するときに、該コンテンツについて、どの通話呼で視聴したコンテンツか、あるいは、だれと視聴したコンテンツか、といったコンテンツに関する情報を知ることができる。
【００２２】
第１１の技術手段は、第９の技術手段に記載の情報処理装置であって、前記通話呼に関連する情報に応じて、前記抽出手段により抽出されたコンテンツを選択する選択手段と、前記選択手段により選択されたコンテンツを再生する再生手段とを備えたことを特徴とする。
【００２３】
第１２の技術手段は、第９乃至１１の技術手段のいずれかに記載の情報処理装置であって、前記通話呼に関連する情報は、通話相手に関する情報であることを特徴とする。
【００２４】
第１３の技術手段は、第９乃至１１の技術手段のいずれかに記載の情報処理装置であって、前記通話呼に関連する情報は、通話時の時刻に関する情報であることを特徴とする。
【００２５】
第１４の技術手段は、第９乃至１１の技術手段のいずれかに記載の情報処理装置であって、前記通話呼に関連する情報は、通話内容に関する情報であることを特徴とする。
【００２６】
第１５の技術手段は、呼を用いて通話する通話ステップと、コンテンツを視聴するコンテンツ視聴ステップと、通話時に視聴したコンテンツと通話呼に関連する情報とを対応付けて記憶する通話呼関連情報対応付け記憶ステップと、前記通話呼関連情報対応付け記憶ステップにて記憶した通話呼に関連する情報と対応付けて記憶されたコンテンツを視聴する際に、該コンテンツに対応付けられた通話呼に関連する情報を出力する通話呼関連情報出力ステップとを備えたことを特徴とする情報処理方法である。
【００２７】
第１６の技術手段は、呼を用いて通話する通話ステップと、コンテンツを視聴するコンテンツ視聴ステップと、通話時に視聴したコンテンツと通話時に視聴したコンテンツに対して行なわれた操作の内容を記述した操作情報とを対応付けて記憶する操作情報対応付け記憶ステップと、前記操作情報対応付け記憶ステップにて記憶した操作情報と対応付けて記憶されたコンテンツを視聴する際に、該コンテンツに対応付けられた操作情報に応じてコンテンツを再生するコンテンツ再生ステップとを備えたことを特徴とする情報処理方法である。
【００２８】
第１７の技術手段は、呼を用いて通話する通話ステップと、コンテンツを視聴するコンテンツ視聴ステップと、通話時に視聴したコンテンツと通話呼に関連する情報とを対応付けて記憶する対応付け記憶ステップと、前記通話呼に関連する情報に応じて、前記通話呼に関連する情報に対応するコンテンツを抽出する抽出ステップとを備えたことを特徴とする情報処理方法である。
【００２９】
第１８の技術手段は、呼を用いて通話する通話ステップと、コンテンツを視聴するコンテンツ視聴ステップと、通話時に視聴したコンテンツと通話呼に関連する情報とを対応付けて記憶する対応付け記憶ステップと、前記コンテンツに応じて、前記コンテンツに対応付けられた前記通話呼に関連する情報を抽出する抽出ステップとを備えたことを特徴とする情報処理方法である。
【００３０】
第１９の技術手段は、第１７の技術手段に記載の情報処理方法であって、前記通話呼に関連する情報に応じて、前記抽出ステップにより抽出されたコンテンツを選択する選択ステップと、前記選択ステップにより選択されたコンテンツを再生する再生ステップとを備えたことを特徴とする。
【００３１】
第２０の技術手段は、第１５乃至１９の技術手段のいずれかに記載の情報処理方法をコンピュータで実行するためのプログラムであることを特徴とする。
【発明の効果】
【００３２】
以上説明したように、本発明によれば、通話中にコンテンツを視聴した際に、通話呼に関するさまざまな情報をコンテンツと対応付けて記憶することにより、コンテンツを再度視聴するときに以前の通話中に視聴した形態に基づいて、効率よくコンテンツを選択したり、視聴したりできるようになる。
【発明を実施するための最良の形態】
【００３３】
（第一の実施の形態）
本発明では、複数のユーザが通話中にコンテンツを視聴し、通話に関連する情報を対応づけて保存し、保存された関連情報を元にして後に、コンテンツを視聴（再生）することを目的としている。
以下では、簡略化のため２人のユーザＡとユーザＢがそれぞれ情報処理装置Ａと情報処理装置Ｂを用いて通話を行い、ユーザＢが通話中にコンテンツを視聴するという状況で、情報処理装置Ｂでは通話に関連する情報をコンテンツと対応付けて保存し、後にユーザＢがユーザＡとの通話中に視聴したコンテンツを再生する際に保存された情報を用いて再生を行う場合を想定して説明する。
なお、複数のユーザは２名に限られず、３名以上であっても本実施例は適用される。
【００３４】
図１は、ユーザＡが情報処理装置Ａを使用し、ユーザＢが情報処理装置Ｂを使用して、ユーザＡとＢとが通話を行い、コンテンツを視聴するために必要な構成を示している。
ユーザＡが使用する情報処理装置ＡとユーザＢが使用する情報処理装置ＢはネットワークＣを介して接続されている。
なお、ネットワークＣは電話回線やＬＡＮ、インターネット回線など任意のネットワーク回線であってよい。
【００３５】
図２は、本発明による情報処理装置の一実施例を説明するための要部概略構成を示すブロック図で、図中、１は本発明による情報処理装置で該情報処理装置１は、通話手段１１、通話呼関連情報抽出手段１２、通話呼関連情報対応付け記憶手段１３、通話呼関連情報読み出し手段１４、コンテンツ選択手段１５、コンテンツ記憶手段１６、コンテンツ再生手段１７、コンテンツ視聴手段１８、操作入力手段１９等から構成される。
【００３６】
通話手段１１は、ネットワークに接続された、他の情報処理装置と通話を行う。すなわち、指定された通話相手に発信し、接続を確立し、音声や映像の送受信を行う。また、通話相手からの接続の要求に応じて通話情報などを着信し、音声や映像の送受信を行う。なお、通話相手を登録しておく記憶部や、音声や映像を入出力するカメラやマイク、表示画面なども通信手段に含まれる。
【００３７】
通話呼関連情報抽出手段１２は、通話手段１１から、通話に関連する情報を抽出し、コンテンツ視聴手段１８により視聴中のコンテンツと対応付けて、通話呼関連情報対応付け記憶手段１３に記憶する。
通話呼関連情報とは、通話相手に関する情報、時刻に関する情報、会話に関する情報、操作に関する情報、あるいは、通話時のホームネットワークの情報や、センサーの情報、などさまざまな情報であってよい。
なお、コンテンツに対して行われた操作に関する情報は、コンテンツ再生手段１７によって、コンテンツの再生情報と共にコンテンツ操作情報として伝えられ、操作が行われた再生位置と対応付けて操作履歴として保存されてもよい。
【００３８】
通話呼関連情報対応付け記憶手段１３は、通話呼関連情報抽出手段１２によってコンテンツと対応付けられて抽出された通話呼関連情報を記憶する。
通話呼関連情報読み出し手段１４は、通話呼関連情報対応付け記憶手段１３から、コンテンツに対応付けされた通話呼関連情報を抽出する。
【００３９】
コンテンツ選択手段１５は、通話呼関連情報読み出し手段１４によって読み出された、コンテンツと対応付けられた通話呼関連情報をもちいて、コンテンツ記憶手段１６に記憶されているコンテンツの選択をユーザに促し、ユーザにより選択されたコンテンツを再生するのに必要な情報をコンテンツ再生手段１７に渡す。
【００４０】
コンテンツ選択手段１５は、ユーザへ提示するＵＩ（Ｕｓｅｒ  Ｉｎｔｅｒｆａｃｅ）を作成する機能を含み、通話呼関連情報を用いて、コンテンツ一覧表示の際に、コンテンツを通話呼関連情報のうち、任意の情報についてソートして表示したり、ユーザがコンテンツを選択する時に、コンテンツの選択方法を複数表示したり、あるいは、発信履歴や着信履歴の画面から、コンテンツを選択することが可能になるようにリンクを貼ったり、アドレス帳にて、その人（アドレス帳に記載されている）との通話で視聴したコンテンツを選択することができたり、操作履歴を用いて、ユーザにさまざまなコンテンツ再生方法を提示したりすることができる。
【００４１】
コンテンツ記憶手段１６は、コンテンツの実体、あるいはコンテンツの場所についての情報を記憶している。
なお、コンテンツは、情報処理装置の内部に保存されていてもよいし、外部に保存されていてもよい。外部とは、例えば、インターネット上のサーバーや、家庭内のネットワークに接続された機器内に保存されたコンテンツの事である。家庭内のコンテンツであれば、例えばＤＬＮＡ（Ｄｅｇｉｔａｌ  Ｌｉｖｉｎｇ  Ｎｅｔｗｏｒｋ  Ａｌｌｉａｎｃｅ）の仕組みを使用して視聴することができる。外部にコンテンツが保存されている場合は、コンテンツ記憶手段１６で記憶されている情報は、ＵＲＬ（Ｕｎｉｆｏｒｍ  Ｒｅｓｏｕｒｃｅ  Ｌｏｃａｔｏｒ）などになる。
情報処理装置内部に記憶されている場合は、コンテンツ記憶手段１６で記憶されている情報は、ファイルパス（Ｆｉｌｅ  Ｐａｔｈ）などである。
【００４２】
コンテンツ再生手段１７は、コンテンツ選択手段１５によって選択されたコンテンをコンテンツ記憶手段１６より取得し、コンテンツ選択手段１５によって選択された再生方法を、通話呼関連情報読み出し手段１４から得られる通話呼関連情報をもとに取得、あるいは作成し、コンテンツ視聴手段１８よりコンテンツを再生する。また、コンテンツの再生とともに、通話呼関連情報読み出し手段１４によって読み出された通話呼関連情報をコンテンツ視聴手段１８より出力する。
【００４３】
また、操作入力手段１９からユーザにより入力された操作に従って、再生処理を変更し、コンテンツ視聴手段１８より表示する。また、入力された操作をコンテンツの再生情報と共に通話呼関連情報抽出手段１２に通知する。
【００４４】
コンテンツの再生方法には、コンテンツを単に再生する再生方法いわゆる普通の再生と、通話呼関連情報に記憶されている操作履歴を用いて作成された再生スケジュールに従って再生される特殊な再生方法がある。特殊な再生方法とは、たとえば、通話時の視聴方法を完全に再現して再生する再現再生、再生されたところだけを再生するダイジェスト再生、視聴していないところだけを視聴する再生方法、通話中に視聴した続きを再生するリジューム再生、コンテンツ視聴時に行われた会話の音声や、映像も同時に再生する再現再生などである。
【００４５】
図１５は、上述した特殊な再生方法について、操作履歴を用いて実現する一例を説明するための図である。
図１５（Ａ）は、コンテンツが視聴されたときの再生履歴をコンテンツの位置と共に並べて示している。図１５（Ａ）において、視聴者は、通話時において、コンテンツの（１）の部分を早送りし、（２）の部分を再生し、（３）の部分を早送りし、（４）の部分を再生し、（４）の最後で停止、（５）の部分は未視聴であることを示している。
【００４６】
このように、ユーザがコンテンツを視聴した場合の再生方法について図１５（Ｂ），（Ｃ），（Ｄ），（Ｅ）を用いて説明する。
図１５（Ｂ）は、再現再生の実現の方法について説明するための図である。再現再生は、コンテンツの（１）を早送りし、（２）を再生し、（３）を早送りし、（４）を再生し、そして停止する。このように再現再生は、通話時の再生方法すなわち図１５（Ａ）に示した再生履歴を忠実に再現する。未視聴の（５）の部分は再生しない。
再現再生を行うことによって、通話中にコンテンツを視聴した様子をそのまま再現でき、コンテンツの内容や、コンテンツにまつわるエピソードなどを容易に思い出すことができる。
【００４７】
図１５（Ｃ）は、ダイジェスト再生の実現の方法について説明するための図である。ダイジェスト再生は、通話中に再生されたところのみを再生する。従って、図１５（Ｃ）に示すように、（２）と（４）の部分をつなぎ合わせて再生することによってダイジェスト再生を実現できる。
ダイジェスト再生を行うことによって、通話中にコンテンツを視聴した部分だけを見たいときに容易に視聴できる。
【００４８】
図１５（Ｄ）は、視聴していない部分を再生する方法について説明するための図である。視聴していないところを再生するには、通話時に再生した部分以外を再生する。したがって、通話時は早送りされていた（１）と（３）の部分と、未視聴であった（５）の部分をつなぎ合わせて再生する。
通話中に視聴していない部分を視聴することによって、次の通話のときに、前回視聴していなかったところだけを簡単に視聴することができる。
【００４９】
図１５（Ｅ）は、リジューム再生の実現の方法について説明するための図である。リジューム再生は通話時に視聴した続きを視聴する。通話時には、（４）の最後で停止されているので、リジューム再生では、（５）の部分を再生する。
リジューム再生によって、次に通話するときに、前回の通話中に視聴した続きから簡単にコンテンツを視聴することが可能になる。
【００５０】
コンテンツ視聴手段１８は、コンテンツ再生手段１７によって再生されたコンテンツを表示する。視聴手段は、液晶ディスプレイやＣＲＴディスプレイといった表示手段と、スピーカなどの音声出力手段を含む。
なお、表示手段や音声出力手段は、通信手段によって音声や映像が出力される画面やスピーカと同じものを用いてもよい。
【００５１】
操作入力手段１９は、ユーザからの操作を本装置に入力するものである。具体的には、装置に付けられているボタンや、リモコン、あるいはタッチパネルなどの入力装置などである。
【００５２】
図３は、情報処理装置Ａおよび情報処理装置Ｂにおいて、通話中にコンテンツを視聴し、コンテンツと対応付けて通話呼関連情報を記憶する処理を説明するためのフロー図である。
はじめに、通話中に、コンテンツ選択手段１５によりコンテンツを選択し、コンテンツ再生手段１７により再生を開始する（ステップＳ１）。
再生されたコンテンツがコンテンツ視聴手段１８から出力され、ユーザはコンテンツを楽しむことができる（ステップＳ２）。
【００５３】
また、ステップＳ２の処理と並行して、通話呼関連情報取得手段では、通話手段１１より、通話呼関連情報を取得し、コンテンツと対応付けて通話呼関連情報対応付け記憶手段１３に記憶する（ステップＳ３）。
再生中のコンテンツに対して、操作入力手段１９からコンテンツに対する操作が行われると（ステップＳ４においてＹＥＳ）、コンテンツ再生手段１７は入力された操作を再生に反映する（ステップＳ５）。
【００５４】
また、ステップＳ４の処理と並行して（ステップＳ４においてＹＥＳ）、コンテンツ再生手段１７は、入力された操作と、コンテンツの再生位置情報とを通話呼関連情報取得手段に伝えて、通話呼関連情報取得手段は、通話履歴を作成して、通話呼関連情報対応付け記憶手段１３に記憶する。
【００５５】
図５は、通話呼関連情報対応付け記憶手段１３に記憶されている通話呼関連情報について説明するための図である。
図５では、一例としてユーザＢが使用する情報処理装置内の通話呼関連情報対応付け記憶手段１３に記憶された通話呼関連情報を示しており、コンテンツ名と通話相手、通話開始時刻、通話終了時刻、会話、操作履歴、その他の情報が関連付けて保存されている。
【００５６】
コンテンツａ．ＭＰＥＧについては、通話相手はユーザＡであり、通話開始時刻が２００５年６月１日１９時５０分、終了時刻が２００５年６月１日２０時３０分、その時の会話を２００５０６０１１９５０．ｗａｖという音声ファイルに保存し、操作履歴を２００５０６０１１９５０．ｘｍｌというｘｍｌファイルに保存しているという情報が保存されている。
なお、この図では、通話相手の名前、通話開始時刻、通話終了時刻、会話、操作履歴、その他の情報を対応付けて保存しているが、その他の情報としては、前述した、通話相手に関する情報として通話相手のアドレスや電話番号、時刻に関する情報としてコンテンツの視聴を始めた時刻やコンテンツの視聴を終了した時刻、会話に関する情報として通話の映像と音声や通話の前後に視聴したコンテンツ、ホームネットワークの情報として通話中のインターホンの利用時刻やお風呂の利用状態センサー情報として使用される温度センサーやモーションセンサーなどを用いて得られる視聴者の体温や動きの情報あるいは、通話が行われた時刻のニューストピックなどさまざまな情報を記憶してもよい。
なお、記憶されているのは必ずしも情報の実体である必要はなく、前記情報が保存されている場所を示す情報であってもよい。
【００５７】
なお、例ではコンテンツはＭＰＥＧファイルのみであるが、ＭＰＥＧ１、２、ＡＶＩ、Ｈ２６４、ＤＶＩなどの動画、あるいは、ＪＰＥＧ、ＢＭＰ、ＧＩＦ、ＰＮＧなどの静止画、あるいは、ｗａｖ、ｍｐ３、ａａｃ、ａｃ３などの音声、あるいは、ゲームデータや、テレビ放送、ｗｅｂページ、プロバイダなどさまざまなコンテンツであってもよい。
なお、会話の保存形式として、ｗａｖを使用しているが、他のさまざまな音声ファイル形式であってよい。
【００５８】
図６は、情報処理装置Ｂにおいて、ユーザＢがユーザＡとの通話中に視聴したコンテンツの操作履歴をｘｍｌファイルで保存している様子を表した図である。コンテンツ再生手段１７から渡される、コンテンツに対する操作情報と、その操作が行われるコンテンツの再生位置の情報を図に示すように、ｘｍｌ形式で記述している。このファイルでは、コンテンツ名（＜ｃｏｎｔｅｎｔｓ  ｔｙｐｅ＝”ｍｐｅｇ２”  ｓｒｃ＝”ａ．ｍｐｇ”／＞）と、再生時に行われた操作を時系列に沿って記述している。このファイルでは、０秒から２秒を再生（＜ｏｐｅｒａｔｉｏｎ  ｔｙｐｅ＝”再生”  ｂｅｇｉｎ＝”０ｍｓ”  ｅｎｄ＝”２０００ｍｓ”／＞）、２秒から３５秒を早送り（＜ｏｐｅｒａｔｉｏｎ  ｔｙｐｅ＝”早送り”  ｂｅｇｉｎ＝”２０００ｍｓ”  ｅｎｄ＝”３５０００ｍｓ”  ｓｐｅｅｄ＝”２．０”／＞）、３５秒から３０秒までを巻き戻し（＜ｏｐｅｒａｔｉｏｎ  ｔｙｐｅ＝” 巻き戻し”  ｂｅｇｉｎ＝”３５０００ｍｓ”  ｅｎｄ＝”３００００ｍｓ”  ｓｐｅｅｄ＝”２．０”／＞）、３０秒から１００秒までを再生（＜ｏｐｅｒａｔｉｏｎ  ｔｙｐｅ＝”再生”  ｂｅｇｉｎ＝”３００００ｍｓ”  ｅｎｄ＝”１０００００ｍｓ”＞）、１００秒で５秒間一時停止（＜ｏｐｅｒａｔｉｏｎ  ｔｙｐｅ＝”一時停止”  ｂｅｇｉｎ＝”１０００００ｍｓ”  ｅｎｄ＝”１０００００ｍｓ”  ｄｕｒ＝”５０００ｍｓ”／＞）、１００秒から１１０秒まで再生（＜ｏｐｅｒａｔｉｏｎ  ｔｙｐｅ＝”再生”  ｂｅｇｉｎ＝”１０００００ｍｓ”  ｅｎｄ＝”１１００００ｍｓ”／＞）、１１０秒から２００秒まで早送り（＜ｏｐｅｒａｔｉｏｎ  ｔｙｐｅ＝”早送り”  ｂｅｇｉｎ＝”１１００００ｍｓ”  ｅｎｄ＝”２０００００ｍｓ”  ｓｐｅｅｄ＝”２．０”／＞）、２００秒から２１０秒まで再生（＜ｏｐｅｒａｔｉｏｎ  ｔｙｐｅ＝”再生”  ｂｅｇｉｎ＝”２０００００ｍｓ”  ｅｎｄ＝”２１００００ｍｓ”／＞）、２１０秒から２１２秒までスロー再生（＜ｏｐｅｒａｔｉｏｎ  ｔｙｐｅ＝”スロー”  ｂｅｇｉｎ＝”２１００００ｍｓ”  ｅｎｄ＝”２１２０００ｍｓ”  ｓｐｅｅｄ＝”０．５”／＞）、２１２秒から２２０秒まで再生（＜ｏｐｅｒａｔｉｏｎ  ｔｙｐｅ＝”再生”  ｂｅｇｉｎ＝”２１２０００ｍｓ”  ｅｎｄ＝”２２００００ｍｓ”／＞）、２２０秒で停止という操作がなされたことが分かる。
なお、この例示では、コンテンツの再生位置をコンテンツの最初からの相対時間であらわしているが、動画であれば、操作が行われたときのフレームの番号や、ＩＤ、静止画であれば、表示しているファイル名などであってもよい。
【００５９】
また、ここでは、操作として、早送り、再生、停止、スロー、巻き戻しなどの動画に対して行われる一般的な操作を記述したが、操作には、これら以外に、「コマ送り」、「拡大、縮小」、画面のどこかを示す「ポインティング」、リンクをたどる時や、メニューを選択する時に行う「決定」、静止画のスライドショーなどで行われる「次、前」、あるいは「印刷」、画面に図を書き込む「落書き」、ボリューム調整や画面の明るさ、位置などの「設定」、表示されている画面を静止画として保存する「スナップショット」、視聴している映像にセピアやモザイクなどの効果を付ける「特殊効果」、スライドショーに合わせてＢＧＭを選択したり、画面の切替のトランジション効果を選択するような操作など、コンテンツに対して行う操作であればどのような操作でも記憶してもよい。その場合は、図６で示している操作履歴には、それぞれの操作に合った内容（操作情報）が記述される。
【００６０】
図４は、情報処理装置Ａおよび情報処理装置Ｂにおいてコンテンツを視聴する場合の処理を説明するためのフロー図である。
コンテンツ選択手段１５は、コンテンツ記憶手段１６に記憶されているコンテンツを選択させるための選択方法をユーザに提示する（ステップＳ１１）。その際、通話呼関連情報読み出し手段１４によって読み出された、通話呼関連情報対応付け記憶手段１３に記憶されている通話呼関連情報を用いてさまざまな、選択方法をユーザに提示することができる。
【００６１】
操作入力手段１９からユーザによるコンテンツの決定操作（ユーザが視聴したいコンテンツを決定するための操作）が入力されると（ステップＳ１２）、コンテンツ再生手段１７は、コンテンツ選択手段１５によって選択されたコンテンツを取得する（ステップＳ１３）。
コンテンツ再生手段１７は、コンテンツ選択手段１５によって選択されたコンテンツの再生方法が普通再生であるかどうかを判断し、普通再生であれば（ステップＳ１４にてＹＥＳ）、コンテンツ再生手段１７は、コンテンツの再生処理を開始する（ステップＳ１５）。
【００６２】
普通再生でなければ（ステップＳ１４にてＮＯ）、コンテンツ再生手段１７は、通話呼関連情報読み出し手段１４にコンテンツに対応付けられている操作履歴を取得し、取得した操作履歴から、選択されたコンテンツの再生方法を作成する（ステップＳ１６）。
コンテンツ再生手段１７は、作成したコンテンツ再生方法に基づいてコンテンツの再生処理を開始する（ステップＳ１７）。
【００６３】
図７，８，９は、コンテンツ選択方法およびコンテンツの再生方法の一例を説明するための図である。一連の図では、図５で示したように通話呼関連情報が通話呼関連情報対応付け記憶手段に記憶されている場合に、ユーザＢが通話履歴を参照して、ユーザＡと２００５年６月１日に通話しながら視聴したコンテンツを選択し、視聴する場合について説明している。
【００６４】
図７は、通話呼履歴の表示画面であり、画面には、通話相手、通話日時、アイコンが表示される。コンテンツ選択手段１５は、一つ一つの通話呼に対して通話呼関連情報が通話呼関連情報対応付け記憶手段１３に記憶されていれば、通話した相手方（Ａ、Ｄ）に対応付けられているコンテンツがあることをアイコン３１で示す。
【００６５】
図８は、図７の画面が表示された後に、ユーザＢによって、通話履歴からユーザＡとの２００５年６月１日に行われた通話が選択された時の画面を表している。
通話呼（Ａに対する通話履歴）が選択されたら、（１）その通話呼の相手（Ａ）に発信するか、（２）該通話呼履歴を削除するか、（３）通話呼に関連付けられているコンテンツを再生するかを選択することができる。
【００６６】
図９は、図８においてユーザＢによって、「コンテンツ再生」が選択された時の画面をあらわしている。コンテンツ選択手段１５は、通話呼関連情報対応付け記憶手段１３に記憶されている通話呼関連情報を用いて実現可能な再生方法の一覧を表示する。
ここでは、ユーザに提示される選択肢は、（１）コンテンツを普通に再生する「再生」、（２）その通話呼が行われた時の再生方法を再現する「再現再生」、（３）その通話呼が行われた時に視聴したところだけを視聴する「ダイジェスト再生」、（４）選択された通話呼において視聴した続きを再生する「リジューム再生」、（５）再現再生時に、通話呼で通話相手と行われた会話も同時に再生する「会話つき再現再生」、であり、ユーザはこの５つの再生方法から選択することができる。
【００６７】
ユーザにより再生方法が選択されると（図９では、「ダイジェスト再生」を選択）、コンテンツ再生手段１７は、コンテンツ記憶手段１６に記憶されているコンテンツを特定する情報、たとえばファイルパスと、選択された再生方法と、通話呼を再生手段に通知する。コンテンツ再生手段１７は、通知された通話呼とコンテンツを特定する情報を元に、コンテンツをコンテンツ記憶手段１６から、操作履歴を通話呼関連情報対応付け記憶手段１３から取得する。
この例では、ａ．ＭＰＥＧというコンテンツと、操作履歴として、２００５０６０１１９５０．ｘｍｌが取得される。そして、コンテンツ再生手段１７は、選択された再生方法に基づき、再生スケジュールを作成する。
【００６８】
図１０は、図９の再生方法選択画面リストで選択されたダイジェスト再生について、コンテンツ再生手段１７によって作成された再生スケジュールのｘｍｌでの記述例を示す図である。
ダイジェスト再生は、前述した図１５の方法を用いて実現する。この場合では、図７で選択された通話呼において視聴したときの再生方法からダイジェスト再生を選択する。ここで、再生場面、一時停止場面、スロー再生など、視聴者が注目して視聴した部分を集めて再生することをダイジェスト再生とする。
【００６９】
コンテンツ再生手段１７は、図６の操作履歴から再生、一時停止、スロー再生の部分を抜き出してつなぎ合わせることによって再生スケジュールを作成する。この場合は、０秒から２秒、３０秒から１００秒までを再生し、１００秒で５秒間一時停止、１００秒から１１０秒、２００秒から２１０秒まで再生、２１０秒から２１２秒までスロー再生、２１２秒から２２０秒まで再生、２２０秒で停止といったように再生する。
なお、再生位置がジャンプする瞬間にトランジション効果などをいれてもよい。
こうして再生スケジュールが作成され、ａ．ＭＰＥＧのダイジェスト再生が実行される。
【００７０】
図１１，１２，１３，１４は、複数の再生方法からユーザが再生方法を選択する処理を説明するための図であり、ユーザＢがａ．ＭＰＥＧというコンテンツを視聴する際に、ユーザＡと２００５年６月１日に行った通話中に視聴したコンテンツ（ａ．ＭＰＥＧ）をダイジェスト再生するまでに表示される一連の選択画面を示している。
【００７１】
図１１は、情報処理装置Ｂのコンテンツ記憶手段１６に格納されているコンテンツの一覧をコンテンツ選択手段１５によって表示している画面を示した図である。
【００７２】
図１２は、図１１でユーザＢにより動画一覧の中からａ．ＭＰＥＧが選択された場合の画面を示した図である。ここでは、ユーザＢは、コンテンツを再生（図中  再生）するか、通話呼関連情報対応付け記憶手段１３にこのコンテンツと対応付けられて記憶されている通話呼関連情報を用いて再生（図中  通話指定再生）するか、このコンテンツを削除（図中  削除）するかのうちいずれか一つを選択することができる。
【００７３】
図１３は、図１２でユーザＢにより、通話指定再生が選択された場合の画面を示した図である。コンテンツ選択手段１５は、通話呼関連情報対応付け記憶手段１３より、ａ．ＭＰＥＧが対応付けられている通話呼を抽出する。この場合は、このコンテンツを視聴した通話呼は３回あり、その日付（通話をした日付）と前記通話呼の通話相手をリスト表示している。
なお、表示するのは時間情報を含めたり、対応付けられている通話呼が画面に収まりきらないほど多すぎる場合は、最近５件分だけ表示するとか、あるいは、さらに通話相手をリスト表示し、通話相手を選んでからその通話相手との通話呼リストを表示したりしてもかまわない。
【００７４】
図１４は、図１３で、ユーザにより２００５年５月１０日にＡさんと行われた通話呼が選択された場合の画面を示した図である。Ａさんと行われた通話呼が選択されると、通話呼関連情報記憶手段に、このコンテンツに対して、選択された通話呼に関連付けて記憶されている通話呼関連情報から作成可能な再生方法の一覧を示す。ここでは、図９で示した再生方法と同じ方法が選択できるようになっている。
【００７５】
ここでユーザによりダイジェスト再生が選択された場合、コンテンツ再生手段１７により、図１０で説明した再生スケジュールが作成され、再生される。
【００７６】
図７から図１４の例では、図５で示した通話呼関連情報のうち、通話開始時刻、通話相手を用いて、通話履歴からある相手（通話相手）とある通話呼において視聴したコンテンツを選択し、会話や操作履歴を用いて作成された複数の再生方法から任意の再生方法を選択してコンテンツを再生する例と、コンテンツの一覧からコンテンツを選択し、前記コンテンツを視聴した通話呼と会話や操作履歴を用いて作成された複数の再生方法から任意の再生方法を選ぶ例を説明した。
なお、図５の説明で前述したように、その他の情報としてさまざまな情報を記憶していてもよい。これらのさまざまな情報を用いて、例えば、コンテンツの視聴を開始した時刻と、インターホンの利用時刻に関する情報とを用いて、インターホンを利用していた間に、再生していた部分のみを再生して、視聴できなかった部分を視聴する事も可能である。
【００７７】
例えば、コンテンツの視聴を開始した時刻と、通話中の会話情報とを用いて、コンテンツを視聴する前後に行われた会話も再生することで、前記コンテンツを視聴するにいたった経緯や、該コンテンツを視聴した感想なども知ることができる。
例えば、コンテンツの視聴前後に視聴したコンテンツの情報を用いて、コンテンツを選択する時に、関連するコンテンツも選択できるようにすることも可能である。
【００７８】
例えば、温度センサーや、モーションセンサーの情報を用いて、コンテンツの再生位置のうち、温度が上昇したり、動きの激しかった部分を、盛り上がったところと判定して、コンテンツを再視聴する際に、前回の通話中にはここで盛り上がったということをユーザに対して示すことも可能である。
【００７９】
（第二の実施の形態）
第一の実施の形態では、通話中にコンテンツを視聴し、コンテンツと通話呼関連情報を対応付けて保存し、後で再視聴するときにさまざまな選択手段と再生手段を実現する実施の形態を説明した。
以下では、通話中に通話相手とコンテンツを共有視聴しながら通話した場合において本発明を実施する形態を示す。
【００８０】
図１６は、本発明による情報処理装置の一実施例（通話相手と通話中にコンテンツを共有視聴）を説明するための要部概略構成を示すブロック図で、図中、１は本発明による情報処理装置で該情報処理装置１は、通話手段１１、通話呼関連情報抽出手段１２、通話呼関連情報対応付け記憶手段１３、通話呼関連情報読み出し手段１４、コンテンツ選択手段１５、コンテンツ記憶手段１６、コンテンツ視聴手段１８、操作入力手段１９、コンテンツ受信手段２１、コンテンツ送信手段２２、コンテンツ操作情報受信手段２３、コンテンツ操作情報送信手段２４、コンテンツ再生手段２５等から構成される。
【００８１】
コンテンツ受信手段２１は、通話相手のコンテンツを共有して視聴する際に、通話相手からコンテンツを受信する。
コンテンツ送信手段２２は、自分のコンテンツを通話相手と共有して視聴する際に、通話相手にコンテンツを送信する。
【００８２】
コンテンツ操作情報受信手段２３は、通話相手と共有して視聴しているコンテンツに対する操作入力が、通話相手の側でなされた時に、通話相手から通知される操作情報を受信する。
コンテンツ操作情報送信手段２４は、通話相手と共有して視聴しているコンテンツに対する操作入力が、自分の側で行われた時に、通話相手に対して、操作情報を送信する。
【００８３】
なお、コンテンツ受信手段２１、コンテンツ送信手段２２にて、コンテンツの再生方法に関する情報をそれぞれ送信、受信してもよい。
なお、操作情報は、操作に関する再生、停止などのコマンド情報や、あるいは、コマンド情報と操作を反映するコンテンツの位置情報を含んでいてもよい。
【００８４】
コンテンツ再生手段２５は、図２において説明したように、コンテンツ選択手段１５によって選択されたコンテンをコンテンツ記憶手段１６より取得し、コンテンツ選択手段１５によって選択された再生方法を、通話呼関連情報読み出し手段１４から得られる通話呼関連情報より、読み出して、コンテンツ視聴手段１８でコンテンツを再生する。
さらに、コンテンツ再生手段２５は、コンテンツ選択手段１５によって選択されたコンテンツをコンテンツ送信手段２２より、通話相手に通知（送信）する。
また、通話相手のコンテンツを共有する場合は、コンテンツ受信手段２１によって受信されたコンテンツを再生する。
【００８５】
さらに、コンテンツ再生手段２５は、操作入力部から入力された通話相手と共有視聴しているコンテンツに対する操作を、通話呼関連情報抽出手段１２に、コンテンツの再生位置情報と合わせて通知すると共に、コンテンツ操作情報送信手段２４により通話相手に送信する。
また、コンテンツ操作受信手段によって受信した、通話相手と共有視聴しているコンテンツに対する操作を、通話呼関連情報抽出手段１２に、コンテンツの再生位置情報とあわせて通知すると共に、コンテンツの再生に反映させる。
【００８６】
操作入力手段１９、コンテンツ選択手段１５、コンテンツ視聴手段１８、通話呼関連情報抽出手段１２は、図２で説明した各手段と同じ機能を持つ。
【００８７】
図１７は、通話中にコンテンツを選択して、通話相手と選択したコンテンツを共有する処理を説明するためのフロー図であり、図１７では送信側のコンテンツを受信側と共有することを示している。
通話中に送信側で、図４のステップＳ１１からステップＳ１３と同様の処理を行うことにより、送信側でコンテンツを選択する（ステップＳ２１）。すなわち、ユーザのコンテンツ選択操作により選択されたコンテンツとその再生方法に基づき、コンテンツ再生手段２５がユーザによって選択されたコンテンツを取得する。
【００８８】
コンテンツ再生手段２５は、取得したコンテンツを、コンテンツ送信手段２２により通話相手に送信する（ステップＳ２２）。なお、ステップＳ２１で選択されたコンテンツの再生方法についても通話相手に送信してもよい。
受信側では、コンテンツ受信手段２１により共有するコンテンツが受信される（ステップＳ２３）。
【００８９】
受信が完了すると、送信側、受信側それぞれで、コンテンツの再生が開始される（ステップＳ２４）。なお、コンテンツは同時刻に再生されなくてもよいし、同時に再生するための情報、たとえば、時刻情報などを送信側と受信側でやりとりしてすることにより同時に再生されてもよい。共有して再生する処理の詳細なフロー（処理順序）は図１８で説明する。
【００９０】
図１８は、通話相手とコンテンツを共有視聴する際の通話呼関連情報を保存する処理を説明するためのフロー図である。この一連の処理は、図１７のステップＳ２４で行われている処理の説明にあたる。
まず、図１７のステップＳ２２あるいはステップＳ２３で送信された、あるいは受信したコンテンツを図４のステップＳ１４からステップＳ１７の処理フローに従ってコンテンツ再生手段２５により再生を開始する（ステップＳ３１）。
ステップＳ３１の処理により再生を開始すると、図３のステップＳ３の処理と同様に通話呼関連情報を通話呼関連情報対応付け記憶手段１３に記憶する（ステップＳ３３）。
それと共に、図３のステップＳ２の処理と同様に、コンテンツ視聴手段１８により画面にコンテンツを表示する（ステップＳ３２）。
【００９１】
つぎに、図３のステップＳ４と同じように、通話相手と共有して視聴しているコンテンツに対して操作されると（ステップＳ３４にてＹＥＳ）、通話呼関連情報対応付け記憶手段１３に操作履歴として記憶する（ステップＳ３３）。
また、入力された操作が、コンテンツ操作情報受信手段２３により受信した操作（情報）であれば（ステップＳ３５）、コンテンツ再生手段２５は、図３のステップＳ５の処理と同様にして、コンテンツ再生処理に操作情報を反映させて、表示する（ステップＳ３８）。
また、入力された操作が、操作入力部から入力された操作であれば（ステップＳ３６）、コンテンツ再生手段２５は、入力された操作情報を、コンテンツ操作情報送信手段２４により通話相手に送信する（ステップＳ３７）。
【００９２】
なお、このフロー図（処理手順）において通話呼関連情報対応付け記憶手段１３に操作履歴を記憶する際に、送信側、受信側で行われた操作入力を、区別して記憶してもかまわない。そうすることで、再視聴するときに、受信側で行った操作のみを再現するといったように、よりバリエーション豊かな再生方法が実現できる。
【００９３】
以上のようにすることで、通話相手と通話しながらコンテンツを共有視聴することが可能となり、コンテンツを共有視聴した通話呼で通話相手と共有した操作を操作履歴として保存することができるため、後に前記コンテンツを再度視聴するときに、ユーザに対してさまざまな、コンテンツの選択方法や再生方法を提供できる。
【００９４】
図１９は、通話呼関連情報対応付け記憶手段１３から、通話相手と共有したコンテンツを抽出し、選択画面に表示する処理を説明するためのフロー図である。
コンテンツ選択手段１５は、通話呼関連情報読み出し手段１４を用いて、通話呼関連情報対応付け記憶手段１３に記憶されている通話呼関連情報の中に該当する通話相手に関連付けられたコンテンツがあるかどうかを判断する（ステップＳ４１）。
該当する通話相手に関連付けられたコンテンツがあれば（ステップＳ４１にてＹＥＳ）、通話呼関連情報読み出し手段１４により、該コンテンツ名、共有した日時、回数など選択画面の表示に必要な情報を読み出す（ステップＳ４２）。
コンテンツ選択手段１５は、読み出した通話呼関連情報を用いて選択画面を表示する（ステップＳ４３）。
対応する情報がなければ（ステップＳ４１にてＮＯ）、コンテンツの選択情報は画面に表示されない。
【００９５】
図２０、２１と図２２は、図２３に示す情報（通話呼関連情報）が通話呼関連情報対応付け記憶手段１３に記憶されている場合に、図１９のフロー図に従って表示されたコンテンツ選択画面からコンテンツを選択する二つの処理手順を示している。
【００９６】
図２３は、通話呼関連情報対応付け記憶手段１３に記憶されている通話呼関連情報について説明するための図であり、コンテンツに対して各種情報、すなわち、通話相手（共有相手）（Ａ、Ｃ、Ｄ）、通話日時、会話、操作履歴、その他の情報が対応付けられて通話呼関連情報対応付け記憶手段１３に記憶されている様子を図示したものである。
通話相手と交わした会話の内容は、会話日時をファイル名とするｗａｖファイル、通話時にコンテンツに対して行った各種操作の内容（再生、一時停止、早送りなど）は、操作履歴として会話日時をファイル名とするｘｍｌファイルに保存されている。
【００９７】
図２０は、通話手段１１に記憶されている相手（通話相手）に関する詳細情報（メールアドレス、電話番号など）を表示するアドレス帳画面において、前記通話相手と共有したコンテンツの一覧を表示する画面である。
図１９のステップＳ４１の処理を実行することにより、通話相手Ａに対応付けられたコンテンツを検索する。その結果、コンテンツａ．ｍｐｇ、ｂ．ｍｐｇ、ｃ．ｍｐｇが検索できたので、ステップＳ４２を実行して、それらのコンテンツの、コンテンツ名と、それらのコンテンツが共有された回数、最近共有した日を抽出して図中の「共有したコンテンツ」リストを作成し、表示する。
なお、表示するコンテンツを、共有した日付が新しい順や、古い順、あるいは、共有した回数の多い順や少ない順に並べ替えて表示できるようにしてもよい。
【００９８】
図２１は、図２０において、ａ．ｍｐｇが選択された場合に表示される選択画面の一例を示している。ここでは、ユーザーは、（１）Ａに発信して前回ａ．ｍｐｇを視聴した再現再生を行う「発信して前回の再現再生」、（２）Ａに発信して前回ａ．ｍｐｇを視聴したその続きからリジューム再生を行う「発信して前回のリジューム再生」、（３）Ａとａ．ｍｐｇを共有視聴した通話呼を選択してから発信し視聴する「通話呼選択」、から再生方法を選択できる。
【００９９】
図２１に示したように「発信して前回のリジューム再生」が選択されたら、通話手段１１からＡに対して発信し、接続したら、ａ．ｍｐｇをコンテンツ送信手段２２からＡに送信する。そして、２００５年６月１日の通話でコンテンツ（ａ．ｍｐｇ）を共有視聴した際に、該コンテンツに対して行った各種操作（再生、一時停止、早送り処理など）の履歴を記憶した操作履歴情報であるｘｍｌファイル２００５０６０１１９５０．ｘｍｌをもとにして、リジューム再生の再生スケジュールを作成し再生する。
そして、再生スケジュールによって行われる操作情報をコンテンツ操作情報送信手段２４からＡに送信する。なお、Ａにはコンテンツの操作情報を送信するのではなく、作成した再生スケジュールを送信し、Ａでその再生スケジュールに従って再生してもよい。
再生方法は、図１５で示した方法で実現する。
【０１００】
なお、図２１において、「発信して前回の再現再生」が選択された場合もリジューム再生の場合と同様に、再現再生を行う。
「通話呼選択」が選択された場合は、図２３に記載された通話呼関連情報からＡとａ．ｍｐｇを共有視聴し通話した通話呼を日付の順などを基準にして昇順（または降順）に並べて表示する。そして、通話呼が選択されたら、さらに再生方法を表示する。再生方法が選択されれば、前述したように、選択された再生方法で再生する。
なお、この選択肢には、Ａに発信する選択肢以外に、図１１から図１４で示したようにコンテンツの再生方法や削除が選択される選択肢を入れてもよい。
【０１０１】
図２２は、図１９のフローに従ってコンテンツを選択する選択方法の一例を説明するための図で、Ａと通話中に共有視聴するコンテンツを選択する画面を示している。
コンテンツ選択手段１５は、図２０に示したアドレス帳に表示されている「共有したコンテンツ」で抽出したように、Ａに関連するコンテンツの通話呼関連情報を用いて、（１）前回のＡとの通話で共有したコンテンツを再現再生する「前回のコンテンツを再現再生」、（２）前回のＡとの通話で共有したコンテンツを続きからリジューム再生する「前回のコンテンツを前回の続きから再生」、（３）以前にＡと共有したコンテンツを選択する「以前に共有したコンテンツから選択」、（４）通話中、頻繁に共有視聴しているコンテンツから選択する「よく共有しているコンテンツから選択」、（５）「コンテンツ一覧から選択」の５項目を表示する。また、画面左側には、現在通話中のＡの映像が表示されている。
【０１０２】
図２２に示したように「前回のコンテンツを前回の続きから再生」が選択された場合は、２００５年６月１日の通話でコンテンツ（ａ．ｍｐｇ）を共有視聴した際に、該コンテンツに対して行った各種操作（再生、一時停止、早送り処理など）の履歴を記憶した操作履歴情報を用いて、リジューム再生を行う。
また、「前回のコンテンツを再現再生」が選択された場合もおなじく、２００５年６月１日の通話でコンテンツ（ａ．ｍｐｇ）を共有視聴した際に記憶した操作履歴に基づいて、再現再生を行う。
【０１０３】
「以前に共有したコンテンツから選択」が選択された場合は、Ａと共有視聴したことのあるコンテンツ、ここでは、ａ．ｍｐｇ、ｂ．ｍｐｇ、ｃ．ｍｐｇを一覧表示し、コンテンツが選択されれば、再生方法を選択させ、前記コンテンツを複数回共有視聴した場合は、通話呼をさらに選択させ、最後に再生方法を選択させる。
「よく共有しているコンテンツから選択」が選択された場合は、図２３に示す情報から、共有視聴されている回数の多いコンテンツを順に表示する。ここでは、ｂ．ｍｐｇが４回、ａ．ｍｐｇとｄ．ｍｐｇが２回、ｃ．ｍｐｇが１回共有されていることが分かるので、この順で表示する。コンテンツが選択されたら、再生方法、あるいは通話呼を選んでから再生方法を選択させ、同様に、選択された再生方法で再生する。
【０１０４】
なお、この例では、コンテンツは４つだけだが、もっと多くある場合は、共有視聴の回数が多いものから５個ずつ表示するなどしてもよい。
「コンテンツ一覧」が選択された場合は、図１１から図１４で説明したように「コンテンツ一覧」から所望のコンテンツを選択させ、再生する。
【０１０５】
以上のように、通話中に視聴したコンテンツと通話呼に関連する情報を対応付けて記憶しておき、前記通話呼に関連する情報を用いて、さまざまな選択方法や、再生方法が実現でき、効率よくコンテンツを選択し、視聴することができる。さらに、前記通話呼でコンテンツ（通話中に視聴したコンテンツ）を視聴しながらどのような会話が行われたか、前記コンテンツにまつわるエピソードなどを思い出すことができる。
【０１０６】
以上のように、本発明の実施の形態および実施例について説明を行なったが、今回開示した実施の形態および実施例は全ての点で例示であって制限的なものではないと考えられるべきである。本発明の範囲は、特許請求の範囲によって示され、特許請求の範囲と均等の意味および範囲内での全ての変更が含まれる。
【図面の簡単な説明】
【０１０７】
【図１】本発明が適用されるシステムの一実施形態を説明するための図である。
【図２】本発明による情報処理装置の一実施形態を説明するための要部概略構成を示すブロック図である。
【図３】本発明に係わる情報処理装置において、通話中にコンテンツを視聴する際に実行される処理を説明するためのフロー図である。
【図４】本発明に係わる情報処理装置において、コンテンツを選択し、再生する処理を説明するためのフロー図である。
【図５】本発明に係わる情報処理装置において、通話呼関連情報対応付け記憶手段に記憶されているデータについて説明するための図である。
【図６】図５で示したデータのうち、操作履歴に関するデータについて説明するための図である。
【図７】本発明に係わる情報処理装置において、ユーザがコンテンツを選択する際に表示する画面の一例を示した図である。
【図８】本発明に係わる情報処理装置において、ユーザがコンテンツを選択する際に表示する画面の一例を示した図である。
【図９】本発明に係わる情報処理装置において、ユーザがコンテンツの再生方法を選択する際に表示する画面の一例を示した図である。
【図１０】本発明に係わる情報処理装置において、ユーザが選択した再生方法に基づき作成された再生スケジュールについて説明するための図である。
【図１１】本発明に係わる情報処理装置において、ユーザがコンテンツを選択する際に表示する画面の一例を示した図である。
【図１２】本発明に係わる情報処理装置において、ユーザがコンテンツを選択しコンテンツ選択後、実行する処理を決定する際に表示する画面の一例を示した図である。
【図１３】本発明に係わる情報処理装置において、ユーザがコンテンツを選択しコンテンツ選択後、通話指定先を選択する際に表示する画面の一例を示した図である。
【図１４】本発明に係わる情報処理装置において、ユーザがコンテンツを選択しコンテンツ選択後、再生する処理を選択する際に表示する画面の一例を示した図である。
【図１５】コンテンツのさまざまな再生方法を実現するための方法を説明するための図である。
【図１６】本発明による情報処理装置の一実施の形態を説明するための要部概略構成を示すブロック図である。
【図１７】本発明に係わる情報処理装置において、通話中に相手とコンテンツを共有する処理を説明したフロー図である。
【図１８】本発明に係わる情報処理装置において、通話中に相手とコンテンツを共有してコンテンツを視聴するときに実行される処理について説明したフロー図である。
【図１９】本発明に係わる情報処理装置において、通話相手に対応付けられているコンテンツを選択する処理を説明するためのフロー図である。
【図２０】通話相手に対応付けられているコンテンツを選択する画面を示した図である。
【図２１】コンテンツ選択後、実行する処理を選択する画面を示した図である。
【図２２】通話中に共有視聴するコンテンツを選択する画面を示した図である。
【図２３】通話呼関連情報を説明するための図である。
【符号の説明】
【０１０８】
Ａ、Ｂ…情報処理装置、１…情報処理装置、１１…通話手段、１２…通話呼関連情報抽出手段、１３…通話呼関連情報対応付け記憶手段、１４…通話呼関連情報読み出し手段、１５…コンテンツ選択手段、１６…コンテンツ記憶手段、１７…コンテンツ再生手段、１８…コンテンツ視聴手段、１９…操作入力手段、２１…コンテンツ受信手段、２２…コンテンツ送信手段、２３…コンテンツ操作情報受信手段、２４…コンテンツ操作情報送信手段、２５…コンテンツ再生手段、３１…アイコン。
【図１】
2007089025.tif 000003
【図２】
2007089025.tif 000004
【図３】
2007089025.tif 000005
【図４】
2007089025.tif 000006
【図５】
2007089025.tif 000007
【図６】
2007089025.tif 000008
【図７】
2007089025.tif 000009
【図８】
2007089025.tif 000010
【図９】
2007089025.tif 000011
【図１０】
2007089025.tif 000012
【図１１】
2007089025.tif 000013
【図１２】
2007089025.tif 000014
【図１３】
2007089025.tif 000015
【図１４】
2007089025.tif 000016
【図１５】
2007089025.tif 000017
【図１６】
2007089025.tif 000018
【図１７】
2007089025.tif 000019
【図１８】
2007089025.tif 000020
【図１９】
2007089025.tif 000021
【図２０】
2007089025.tif 000022
【図２１】
2007089025.tif 000023
【図２２】
2007089025.tif 000024
【図２３】
2007089025.tif 000025